【手続補正書】
【提出日】平成17年11月10日(2005.11.10)
【手続補正１】
【補正対象書類名】明細書
【補正対象項目名】発明の名称
【補正方法】変更
【補正の内容】
【発明の名称】印刷制御方法及び印刷制御装置並びにプログラム
【手続補正２】
【補正対象書類名】明細書
【補正対象項目名】特許請求の範囲
【補正方法】変更
【補正の内容】
【特許請求の範囲】
【請求項１】
両面印刷可能な印刷装置に対して連続する２ページの印刷データを両面印刷させるとともに、該印刷データのそれぞれのページを拡大し複数の媒体上に分割して印刷させる印刷制御方法であって、
１ページ目の印刷データを所定数の印刷データに分割する第１の分割工程と、
２ページ目の印刷データを前記所定数の印刷データに分割する第２の分割工程と、
前記第１の分割工程で前記所定数に分割された前記１ページ目の印刷データのうちの一の印刷データと、前記第２の分割工程で前記所定数に分割された前記２ページ目の印刷データのうちの一の印刷データとを選択する選択工程と、
前記選択工程により選択された前記１ページ目の分割された印刷データ及び前記２ページ目の分割された印刷データをそれぞれ同一媒体の表面及び裏面に印刷させる印刷工程と
を有することを特徴とする印刷制御方法。
【請求項２】
前記２ページ目の印刷データの選択モードを指定する指定工程をさらに有し、
前記選択工程は、前記指定工程により指定された前記選択モードに従って、前記１ページ目の分割された印刷データに対応する前記２ページ目の分割された印刷データを選択する
ことを特徴とする請求項１に記載の印刷制御方法。
【請求項３】
前記指定工程において表面と裏面の出力順序が左右逆順に指定された場合、前記選択工程が、前記１ページ目の分割された印刷データの配置と左右対称の配置になる前記２ページ目の分割された印刷データを選択することを特徴とする請求項２に記載の印刷制御方法。
【請求項４】
前記指定工程が、表面と裏面の出力順序を左右同順に指定することを特徴とする請求項２に記載の印刷制御方法。
【請求項５】
前記第１の分割工程が、前記１ページ目の印刷データを前記複数の媒体と同数の印刷データに分割し、
前記第２の分割工程が、前記２ページ目の印刷データを前記複数の媒体と同数の印刷データに分割する
ことを特徴とする請求項１に記載の印刷制御方法。
【請求項６】
両面印刷可能な印刷装置に対して連続する２ページの印刷データを両面印刷させるとともに、該印刷データのそれぞれのページを拡大し複数の媒体上に分割して印刷させる印刷制御装置であって、
１ページ目の印刷データを所定数の印刷データに分割する第１の分割手段と、
２ページ目の印刷データを前記所定数の印刷データに分割する第２の分割手段と、
前記第１の分割手段で前記所定数に分割された前記１ページ目の印刷データのうちの一の印刷データと、前記第２の分割手段で前記所定数に分割された前記２ページ目の印刷データのうちの一の印刷データとを選択する選択手段と、
前記選択手段により選択された前記１ページ目の分割された印刷データ及び前記２ページ目の分割された印刷データをそれぞれ同一媒体の表面及び裏面に印刷させる印刷手段と
を備えることを特徴とする印刷制御装置。
【請求項７】
前記２ページ目の印刷データの選択モードを指定する指定手段をさらに備え、
前記選択手段は、前記指定手段により指定された前記選択モードに従って、前記１ページ目の分割された印刷データに対応する前記２ページ目の分割された印刷データを選択する
ことを特徴とする請求項６に記載の印刷制御装置。
【請求項８】
前記指定手段において表面と裏面の出力順序が左右逆順に指定された場合、前記選択手段が、前記１ページ目の分割された印刷データの配置と左右対称の配置になる前記２ページ目の分割された印刷データを選択することを特徴とする請求項７に記載の印刷制御装置。
【請求項９】
前記指定手段が、表面と裏面の出力順序を左右同順に指定することを特徴とする請求項７に記載の印刷制御装置。
【請求項１０】
前記第１の分割手段が、前記１ページ目の印刷データを前記複数の媒体と同数の印刷データに分割し、
前記第２の分割手段が、前記２ページ目の印刷データを前記複数の媒体と同数の印刷データに分割する
ことを特徴とする請求項６に記載の印刷制御装置。
【請求項１１】
両面印刷可能な印刷装置に、連続する２ページの印刷データを両面印刷させるとともに、該印刷データのそれぞれのページを拡大し複数の媒体上に分割して印刷させるためのプログラムであって、
１ページ目の印刷データを所定数の印刷データに分割する第１の分割手順と、
２ページ目の印刷データを前記所定数の印刷データに分割する第２の分割手順と、
前記第１の分割手順で前記所定数に分割された前記１ページ目の印刷データのうちの一の印刷データと、前記第２の分割手順で前記所定数に分割された前記２ページ目の印刷データのうちの一の印刷データとを選択する選択手順と、
前記選択手順により選択された前記１ページ目の分割された印刷データ及び前記２ページ目の分割された印刷データをそれぞれ同一媒体の表面及び裏面に印刷させる印刷手順と
を実行させるためのコンピュータ読み取り可能なプログラム。
【請求項１２】
前記印刷装置に、前記２ページ目の印刷データの選択モードを指定する指定手順をさらに実行させ、
前記選択手順は、前記指定手順により指定された前記選択モードに従って、前記１ページ目の分割された印刷データに対応する前記２ページ目の分割された印刷データを選択する
ことを特徴とする請求項１１に記載のプログラム。
【請求項１３】
前記指定手順において表面と裏面の出力順序が左右逆順に指定された場合、前記選択手順が、前記１ページ目の分割された印刷データの配置と左右対称の配置になる前記２ページ目の分割された印刷データを選択することを特徴とする請求項１２に記載のプログラム。
【請求項１４】
前記指定手順が、表面と裏面の出力順序を左右同順に指定することを特徴とする請求項１２に記載のプログラム。
【請求項１５】
前記第１の分割手順が、前記１ページ目の印刷データを前記複数の媒体と同数の印刷データに分割し、
前記第２の分割手順が、前記２ページ目の印刷データを前記複数の媒体と同数の印刷データに分割する
ことを特徴とする請求項１１に記載のプログラム。
【手続補正３】
【補正対象書類名】明細書
【補正対象項目名】０００４
【補正方法】変更
【補正の内容】
【０００４】
本発明は、このような事情を考慮してなされたものであり、分割される画像の出力ページの順序を好適に制御して、ポスター印刷と両面印刷とを同時に実現することができる印刷制御方法及び印刷制御装置並びにプログラムを提供することを目的とする。
【手続補正４】
【補正対象書類名】明細書
【補正対象項目名】０００５
【補正方法】変更
【補正の内容】
【０００５】
【課題を解決するための手段】
上記課題を解決するために、本発明は、両面印刷可能な印刷装置に対して連続する２ページの印刷データを両面印刷させるとともに、該印刷データのそれぞれのページを拡大し複数の媒体上に分割して印刷させる印刷制御方法であって、
１ページ目の印刷データを所定数の印刷データに分割する第１の分割工程と、
２ページ目の印刷データを前記所定数の印刷データに分割する第２の分割工程と、
前記第１の分割工程で前記所定数に分割された前記１ページ目の印刷データのうちの一の印刷データと、前記第２の分割工程で前記所定数に分割された前記２ページ目の印刷データのうちの一の印刷データとを選択する選択工程と、
前記選択工程により選択された前記１ページ目の分割された印刷データ及び前記２ページ目の分割された印刷データをそれぞれ同一媒体の表面及び裏面に印刷させる印刷工程と
を有することを特徴とする。
また、上記課題を解決するために、本発明は、両面印刷可能な印刷装置に対して連続する２ページの印刷データを両面印刷させるとともに、該印刷データのそれぞれのページを拡大し複数の媒体上に分割して印刷させる印刷制御装置であって、
１ページ目の印刷データを所定数の印刷データに分割する第１の分割手段と、
２ページ目の印刷データを前記所定数の印刷データに分割する第２の分割手段と、
前記第１の分割手段で前記所定数に分割された前記１ページ目の印刷データのうちの一の印刷データと、前記第２の分割手段で前記所定数に分割された前記２ページ目の印刷データのうちの一の印刷データとを選択する選択手段と、
前記選択手段により選択された前記１ページ目の分割された印刷データ及び前記２ページ目の分割された印刷データをそれぞれ同一媒体の表面及び裏面に印刷させる印刷手段と
を備えることを特徴とする。
さらに、上記課題を解決するために、本発明は、両面印刷可能な印刷装置に、連続する２ページの印刷データを両面印刷させるとともに、該印刷データのそれぞれのページを拡大し複数の媒体上に分割して印刷させるためのプログラムであって、
１ページ目の印刷データを所定数の印刷データに分割する第１の分割手順と、
２ページ目の印刷データを前記所定数の印刷データに分割する第２の分割手順と、
前記第１の分割手順で前記所定数に分割された前記１ページ目の印刷データのうちの一の印刷データと、前記第２の分割手順で前記所定数に分割された前記２ページ目の印刷データのうちの一の印刷データとを選択する選択手順と、
前記選択手順により選択された前記１ページ目の分割された印刷データ及び前記２ページ目の分割された印刷データをそれぞれ同一媒体の表面及び裏面に印刷させる印刷手順と
を実行させることを特徴とする。